【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
再生対象コンテンツデータに含まれる主コンテンツを再生する主コンテンツ再生手段と、
上記再生対象コンテンツデータに格納された処理指定情報により指定された処理を実行する過程で発生したエラーを検出するエラー検出手段と、
上記エラー検出手段がエラーを検出したとき、上記再生対象コンテンツデータに格納された画像データに基づいて、上記再生対象コンテンツデータに含まれている副コンテンツを再生する副コンテンツ再生手段と、
を備えていることを特徴とするコンテンツ再生装置。
【請求項２】
再生対象コンテンツデータに含まれる主コンテンツを再生する主コンテンツ再生手段と、
上記再生対象コンテンツデータに格納された処理指定情報により指定された処理を実行する過程で発生したエラーを検出するエラー検出手段と、
上記エラー検出手段がエラーを検出したとき、上記再生対象コンテンツデータに格納されたＳＶＧ（Scalable Vector Graphics）データに基づいて、上記再生対象コンテンツデータに含まれている副コンテンツを再生する副コンテンツ再生手段と、
を備えていることを特徴とするコンテンツ再生装置。
【請求項３】
上記処理指定情報は、
特定の取得対象コンテンツデータを取得する処理を指定する取得処理指定情報を含むものであり、
当該コンテンツ再生装置は、
上記取得処理指定情報に基いて、外部装置から上記取得対象コンテンツデータを取得するためのコンテンツデータ取得手段を更に備え、
上記エラー検出手段は、
上記コンテンツデータ取得手段が上記取得対象コンテンツデータを取得する処理を実行する過程で発生したエラーを検出するものである、
ことを特徴とする請求項１または２に記載のコンテンツ再生装置。
【請求項４】
上記エラー検出手段は、
上記コンテンツデータ取得手段が上記取得対象コンテンツデータを取得する処理を実行する過程で、自装置側で発生したエラーを検出するものである、
ことを特徴とする請求項３に記載のコンテンツ再生装置。
【請求項５】
上記処理指定情報は、
上記主コンテンツを再生する処理を指定する再生処理指定情報を含むものであり、
上記エラー検出手段は、
上記主コンテンツ再生手段が上記再生処理指定情報に基づいて上記主コンテンツを再生する処理を実行する過程で発生したエラーを検出するものである、
ことを特徴とする請求項１または２に記載のコンテンツ再生装置。
【請求項６】
上記処理指定情報は、
上記エラー検出手段が検出可能なエラーの種類毎に再生するべき副コンテンツを指定する副コンテンツ指定情報を含むものであり、
上記副コンテンツ再生手段は、
上記再生対象コンテンツデータに含まれる複数の副コンテンツのうち、上記副コンテンツ指定情報に基づいて、上記エラー検出手段が検出したエラーの種類に対応した副コンテンツを、再生するものである、
ことを特徴とする請求項１から５までの何れか１項に記載のコンテンツ再生装置。
【請求項７】
上記処理指定情報は、
上記取得対象コンテンツデータに含まれているコンテンツの代わりに特定の代替コンテンツを再生する処理を指示する代替コンテンツ再生処理指定情報を含むものであり、
当該コンテンツ再生装置は、
上記副コンテンツ再生手段が上記副コンテンツを再生した後で、上記代替コンテンツ再生処理指定情報に基づいて、上記代替コンテンツを再生する代替コンテンツ再生手段を更に備えている、
ことを特徴とする請求項３に記載のコンテンツ再生装置。
【請求項８】
コンテンツ再生装置にコンテンツデータを提供するコンテンツデータ提供手段を備えたコンテンツデータ提供装置であって、
上記コンテンツデータには、
上記コンテンツ再生装置が再生する主コンテンツと、
上記主コンテンツを再生する際、上記コンテンツ再生装置が実行するべき処理を指定する処理指定情報と、
上記処理指定情報により指定された処理を実行することができなかったとき、上記コンテンツ再生装置が副コンテンツを再生するために参照する画像データと、が格納されている、
ことを特徴とするコンテンツデータ提供装置。
【請求項９】
コンテンツ再生装置にコンテンツデータを提供するコンテンツデータ提供手段を備えたコンテンツデータ提供装置であって、
上記コンテンツデータには、
上記コンテンツ再生装置が再生する主コンテンツと、
上記主コンテンツを再生する際、上記コンテンツ再生装置が実行するべき処理を指定する処理指定情報と、
上記処理指定情報により指定された処理を実行することができなかったとき、上記コンテンツ再生装置が副コンテンツを再生するために参照するＳＶＧデータと、が格納されている、
ことを特徴とするコンテンツデータ提供装置。
【請求項１０】
請求項１に記載のコンテンツ再生装置と、請求項８に記載のコンテンツデータ提供装置と、を含んでいる、
ことを特徴とするコンテンツ再生システム。
【請求項１１】
請求項２に記載のコンテンツ再生装置と、請求項９に記載のコンテンツデータ提供装置と、を含んでいる、
ことを特徴とするコンテンツ再生システム。
【請求項１２】
コンテンツ再生装置にコンテンツを再生させるコンテンツ再生方法において、
再生対象コンテンツデータに含まれる主コンテンツを再生する主コンテンツ再生工程と、
上記再生対象コンテンツデータに格納された処理指定情報により指定された処理を実行する過程で発生したエラーを検出するエラー検出工程と、
上記エラー検出工程においてエラーを検出したとき、上記再生対象コンテンツデータに格納された画像データに基づいて、上記再生対象コンテンツデータに含まれている副コンテンツを再生する副コンテンツ再生工程と、を含んでいる、
ことを特徴とするコンテンツ再生方法。
【請求項１３】
コンテンツ再生装置にコンテンツを再生させるコンテンツ再生方法において、
再生対象コンテンツデータに含まれる主コンテンツを再生する主コンテンツ再生工程と、
上記再生対象コンテンツデータに格納された処理指定情報により指定された処理を実行する過程で発生したエラーを検出するエラー検出工程と、
上記エラー検出工程においてエラーを検出したとき、上記再生対象コンテンツデータに格納されたＳＶＧデータに基づいて、上記再生対象コンテンツデータに含まれている副コンテンツを再生する副コンテンツ再生工程と、を含んでいる、
ことを特徴とするコンテンツ再生方法。
【請求項１４】
コンテンツ再生装置にコンテンツデータを提供するコンテンツデータ提供工程を含むコンテンツデータ提供方法であって、
上記コンテンツデータには、
上記コンテンツ再生装置が再生する主コンテンツと、
上記主コンテンツを再生する際、上記コンテンツ再生装置が実行するべき処理を指定する処理指定情報と、
上記処理指定情報により指定された処理を実行することができなかったとき、上記コンテンツ再生装置が副コンテンツを再生するために参照する画像データと、が格納されている、
ことを特徴とするコンテンツデータ提供方法。
【請求項１５】
コンテンツ再生装置にコンテンツデータを提供するコンテンツデータ提供工程を含むコンテンツデータ提供方法であって、
上記コンテンツデータには、
上記コンテンツ再生装置が再生する主コンテンツと、
上記主コンテンツを再生する際、上記コンテンツ再生装置が実行するべき処理を指定する処理指定情報と、
上記処理指定情報により指定された処理を実行することができなかったとき、上記コンテンツ再生装置が副コンテンツを再生するために参照するＳＶＧデータと、が格納されている、
ことを特徴とするコンテンツデータ提供方法。
【請求項１６】
コンテンツ再生装置が再生する主コンテンツと、
上記主コンテンツを再生する際、上記コンテンツ再生装置が実行するべき処理を指定する処理指定情報と、
上記処理指定情報により指定された処理を実行することができなかったとき、上記コンテンツ再生装置が副コンテンツを再生するために参照する画像データと、を含んでいる、
ことを特徴とするコンテンツデータのデータ構造。
【請求項１７】
コンテンツ再生装置が再生する主コンテンツと、
上記主コンテンツを再生する際、上記コンテンツ再生装置が実行するべき処理を指定する処理指定情報と、
上記処理指定情報により指定された処理を実行することができなかったとき、上記コンテンツ再生装置が副コンテンツを再生するために参照するＳＶＧデータと、を含んでいる、
ことを特徴とするコンテンツデータのデータ構造。
【請求項１８】
コンピュータを請求項１から７までの何れか１項に記載のコンテンツ再生装置として動作させるためのプログラムであって、
上記コンピュータを、上記コンテンツ再生装置に備えられている上記各手段として機能させるためのコンテンツ再生プログラム。
【請求項１９】
請求項１８に記載のコンテンツ再生プログラムを記録しているコンピュータ読み取り可能な記録媒体。
【請求項２０】
コンピュータを請求項８または９に記載のコンテンツデータ提供装置として動作させるためのプログラムであって、
上記コンピュータを、上記コンテンツデータ提供装置に備えられている上記各手段として機能させるためのコンテンツデータ提供プログラム。
【請求項２１】
請求項２０に記載のコンテンツデータ提供プログラムを記録しているコンピュータ読み取り可能な記録媒体。